(57)【要約】      （修正有）【課題】複数の記録媒体に亘って、関連を有する一連のコンテンツ（例えば同一番組）が記録される場合に、当該コンテンツの予約録画設定の作業の簡略が図られ、且つ、当該複数の記録媒体を相互に関連付けることが可能な記録再生装置の提供。【解決手段】予約録画設定処理時に、「予約録画設定情報」をディスクに記録し（ステップ３２０）、次回以降の予約録画設定処理時に、ディスクから「予約録画設定情報」を取得して（ステップ３１３）、これを使用して予約録画設定処理を行う（ステップ３１１）。また、ディスクの交換がある場合（ステップ３０９）には、新旧のそれぞれディスクに、他方のディスクのディスクＩＤを記録すると共に、新しいディスクに「予約録画設定情報」を引き継いで記録する（ステップ３０８・ステップ３１０）ことにより、媒体の交換があった場合にも予約録画設定の作業の簡略化が図られると共に複数のディスクが相互に関連付けられる。【選択図】  図４
2006186613.tif 000002
【特許請求の範囲】
【請求項１】
定期的に放送若しくは送信される一連のコンテンツが集合することによって全体として一定の纏まりを持つコンテンツの記録媒体への録画を行う記録再生装置であって、前記一連のコンテンツのそれぞれを録画する際に、当該各コンテンツに通し番号情報を付与して前記記録媒体に記録することを特徴とする記録再生装置。
【請求項２】
前記一連のコンテンツが集合することによって全体として一定の纏まりを持つコンテンツを録画するための総容量が、前記記録媒体単体の総容量を超える場合であって、前記コンテンツを複数の前記記録媒体に分割して保存する場合に、前記通し番号情報を、前記複数の記録媒体に記録される各コンテンツに対して継続して付与し、前記各複数の記録媒体に記録することを特徴とする請求項１記載の記録再生装置。
【請求項３】
記録媒体へのコンテンツの録画動作を、録画開始日時及び録画終了日時の設定と、録画する映像信号の入力ソースの選択とを予め設定・記憶することにより予約録画動作によって行うことが可能な記録再生装置であって、前記コンテンツが、定期的に放送若しくは送信される一連のコンテンツが集合することによって全体として一定の纏まりを持つコンテンツである場合に、前記録画開始日時及び録画終了日時や前記映像信号の入力ソースなどの予約録画設定情報を前記記録媒体へと記録することにより次の予約録画設定時に当該記録された予約録画設定情報を利用し、且つ、前記一連のコンテンツが集合することによって全体として一定の纏まりを持つコンテンツを録画するための総容量が、前記記録媒体単体の総容量を超える場合であって、前記コンテンツを複数の前記記録媒体に分割して保存する場合の前記記録媒体の交換時に、前記予約録画設定情報を次の記録媒体へと引き継いで当該次の記録媒体に記録することを特徴とする記録再生装置。
【請求項４】
前記一連のコンテンツのそれぞれを録画する際に、当該各コンテンツに通し番号情報を付与して前記記録媒体に記録し、前記一連のコンテンツが集合することによって全体として一定の纏まりを持つコンテンツを録画するための総容量が、前記記録媒体単体の総容量を超える場合であって、前記コンテンツを複数の前記記録媒体に分割して保存する場合には、前記通し番号情報を、前記複数の記録媒体に記録される各コンテンツに対して継続して付与し、前記各複数の記録媒体に記録することを特徴とする請求項３記載の記録再生装置。
【請求項５】
前記記録媒体への前記コンテンツの録画処理の際に、タイトル情報の一部として前記通し番号情報を使用することを特徴とする請求項１又は請求項２又は請求項４の何れか１つに記載の記録再生装置。
【請求項６】
前記複数の記録媒体のそれぞれに、録画の順番が自己の前後となる記録媒体の、媒体を識別するための媒体識別情報を記録することを特徴とする請求項２乃至請求項４の何れか１つに記載の記録再生装置。
【請求項７】
前記記録再生装置が、DVD  Video  Recordingフォーマットに準拠した記録方式によって記録媒体へのコンテンツの記録を行う記録再生装置であって、前記通し番号情報若しくは前記予約録画設定情報若しくは前記媒体識別情報又はこれらのうち複数を、DVD  Video  RecordingフォーマットのManufacturer’s  Information  Table領域内に格納したことを特徴とする請求項１乃至請求項６の何れか１つに記載の記録再生装置。
【請求項８】
記録媒体へのコンテンツの録画動作を、録画開始日時及び録画終了日時の設定と、録画する映像信号の入力ソースの選択とを予め設定・記憶することにより予約録画動作によって行うことが可能な記録再生装置に備えられるマイコンに、第１の記録媒体に対するコンテンツの予約録画の設定があった場合に当該予約録画設定情報とコンテンツに対する通し番号情報とを前記第１の記録媒体に記録するステップと、前記第１の記録媒体に対する次回以降の予約録画設定処理時に前記第１の記録媒体に記録されている予約録画設定情報を使用し、当該予約録画に必要な容量が前記第１の記録媒体の空き容量より小さい場合には、前記予約録画設定情報を利用して予約録画設定処理を行うステップと、前記予約録画に必要な容量が前記第１の記録媒体の空き容量より大きい場合には、第２の記録媒体の媒体識別情報を前記第１の記録媒体に記録した上で前記第１の記録媒体の交換をユーザに求め、前記第１の記録媒体から前記第２の記録媒体への交換があった場合に、前記予約録画設定情報と前記第１の記録媒体の媒体識別情報と前記通し番号情報とを、交換された前記第２の記録媒体に記録して、前記予約録画設定情報を利用して予約録画設定処理を行うステップと、当該予約録画の録画処理において前記通し番号情報をタイトル情報の一部として使用して、前記通し番号情報を更新するステップと、を実行させるための予約録画処理プログラム。
【発明の詳細な説明】
【技術分野】
【０００１】
本発明は、記録再生装置に関し、特に、一連のコンテンツが複数の記録媒体に分割して記録される場合について考慮された記録再生装置に関する。
【背景技術】
【０００２】
記録媒体へのコンテンツ（放送番組など）の録画を行う記録再生装置において、録画開始時間、録画終了時間、入力ソース（チャンネルなど）の選択等を予め設定して記憶させておくことにより、自動的に録画処理が行われるいわゆる“予約録画”が広く利用されている。予約録画は便利な機能であるが、その設定作業がやや煩雑であると共に、「この記録媒体にはこの番組を撮りたい」という場合に、記録媒体を確認する作業（媒体に記録されている番組を再生して確認する等）が煩雑となる場合があった。
【０００３】
これに対し、記録媒体に予約録画情報を記録することで、予約録画の設定作業の簡略化や記録媒体の内容の確認（媒体の選択）作業の簡略化を図った従来技術が、特許文献１〜特許文献４などによって開示されている。
【０００４】
【特許文献１】特開平４−１８８４５４号公報
【特許文献２】特開平１０−６９７５６号公報
【特許文献３】特開２００１−２６６４７１号公報
【特許文献４】特開２００２−３６９１１１号公報
【発明の開示】
【発明が解決しようとする課題】
【０００５】
番組の中には、番組としては同一番組であるが、内容を変えて定期的（例えば毎週）に放送されるもの（例えばドラマなど）がある。このような定期的に放送される同一番組を予約録画する際に、上記した従来技術を適用すれば、予約録画情報が記録媒体に記録されているため、予約録画の設定において当該情報を利用でき、設定作業などが簡略化され良好な操作性を得ることができるが、基本的に上記従来技術では予約録画情報が単体の記録媒体に保持されるものであるため、複数の記録媒体にわたって同一番組が録画される場合には、媒体が新しくなる度に当該媒体に新たに予約録画情報を記録する必要があった。又、同一番組が記録された複数の各記録媒体を、相互に関連付けておくことができるものではなく、且つ、複数の記録媒体にわたって録画された各コンテンツが全体として（同一番組内の）何番目のものであるかを示すことができるものではなかった。
【０００６】
本発明は、上記した点に鑑み、複数の記録媒体に亘って、関連を有する一連のコンテンツ（例えば同一番組）が記録される場合に、当該コンテンツの予約録画設定の作業の簡略が図られ、且つ、当該複数の記録媒体を相互に関連付けることが可能な記録再生装置を提供することを目的とする。
【課題を解決するための手段】
【０００７】
請求項１の記録再生装置は、定期的に放送若しくは送信される一連のコンテンツが集合することによって全体として一定の纏まりを持つコンテンツの記録媒体への録画を行う記録再生装置であって、前記一連のコンテンツのそれぞれを録画する際に、当該各コンテンツに通し番号情報を付与して前記記録媒体に記録することを特徴とする。
【０００８】
上記構成によれば、関連を有する一連のコンテンツ（例えば同一番組）が記録される場合に、当該各コンテンツに通し番号情報が付与されて記録媒体に記録されるため、当該記録媒体の再生時などにおいて、関連を有する一連のコンテンツ（例えば同一番組）の中で各コンテンツが何番目に録画されたものであるかを表示させること等が可能となる。
【０００９】
請求項２の記録再生装置は、請求項１記載の記録再生装置であって、前記一連のコンテンツが集合することによって全体として一定の纏まりを持つコンテンツを録画するための総容量が、前記記録媒体単体の総容量を超える場合であって、前記コンテンツを複数の前記記録媒体に分割して保存する場合に、前記通し番号情報を、前記複数の記録媒体に記録される各コンテンツに対して継続して付与し、前記各複数の記録媒体に記録することを特徴とする。
【００１０】
上記構成によれば、関連を有する一連のコンテンツ（例えば同一番組）が、複数の記録媒体にわたって録画される場合であっても、複数の記録媒体に記録される各コンテンツに対して通し番号情報が付与されて記録媒体に記録されるため、複数の記録媒体にわたって録画された各コンテンツが、全体としては（同一番組内の）何番目のものであるかを判別することができる。
【００１１】
請求項３の記録再生装置は、記録媒体へのコンテンツの録画動作を、録画開始日時及び録画終了日時の設定と、録画する映像信号の入力ソースの選択とを予め設定・記憶することにより予約録画動作によって行うことが可能な記録再生装置であって、前記コンテンツが、定期的に放送若しくは送信される一連のコンテンツが集合することによって全体として一定の纏まりを持つコンテンツである場合に、前記録画開始日時及び録画終了日時や前記映像信号の入力ソースなどの予約録画設定情報を前記記録媒体へと記録することにより次の予約録画設定時に当該記録された予約録画設定情報を利用し、且つ、前記一連のコンテンツが集合することによって全体として一定の纏まりを持つコンテンツを録画するための総容量が、前記記録媒体単体の総容量を超える場合であって、前記コンテンツを複数の前記記録媒体に分割して保存する場合の前記記録媒体の交換時に、前記予約録画設定情報を次の記録媒体へと引き継いで当該次の記録媒体に記録することを特徴とする。
【００１２】
上記構成によれば、複数の記録媒体にわたって各コンテンツの録画が行われる場合であっても、記録媒体の交換時に予約録画設定情報が新しい記録媒体に引き継がれて記録される。
【００１３】
請求項４の記録再生装置は、請求項３記載の記録再生装置であって、前記一連のコンテンツのそれぞれを録画する際に、当該各コンテンツに通し番号情報を付与して前記記録媒体に記録し、前記一連のコンテンツが集合することによって全体として一定の纏まりを持つコンテンツを録画するための総容量が、前記記録媒体単体の総容量を超える場合であって、前記コンテンツを複数の前記記録媒体に分割して保存する場合には、前記通し番号情報を、前記複数の記録媒体に記録される各コンテンツに対して継続して付与し、前記各複数の記録媒体に記録することを特徴とする。
【００１４】
上記構成によれば、複数の記録媒体にわたって各コンテンツの録画が行われる場合であっても、記録媒体の交換時に予約録画設定情報が新しい記録媒体に引き継がれて記録されると共に、複数の記録媒体に記録される関連を有する一連の各コンテンツに対して通し番号情報が付与されて記録媒体に記録される。
【００１５】
請求項５の記録再生装置は、請求項１又は請求項２又は請求項４の何れか１つに記載の記録再生装置であって、前記記録媒体への前記コンテンツの録画処理の際に、タイトル情報の一部として前記通し番号情報を使用することを特徴とする。
【００１６】
上記構成によれば、タイトル情報の一部として通し番号情報が使用される（例えばタイトル名に通し番号情報を使用して、「○×ドラマ  ７」といったタイトル名を生成して記録するということができる）。
【００１７】
請求項６の記録再生装置は、請求項２乃至請求項４の何れか１つに記載の記録再生装置であって、前記複数の記録媒体のそれぞれに、録画の順番が自己の前後となる記録媒体の、媒体を識別するための媒体識別情報を記録することを特徴とする。
【００１８】
上記構成によれば、関連を有する一連のコンテンツが、複数の記録媒体にわたって録画される場合に、各記録媒体に、録画の順番が自己の前後となる記録媒体の媒体識別情報が記録されるため、各記録媒体を相互に関連付けることができる。
【００１９】
請求項７の記録再生装置は、請求項１乃至請求項６の何れか１つに記載の記録再生装置であって、前記記録再生装置が、DVD  Video  Recordingフォーマットに準拠した記録方式によって記録媒体へのコンテンツの記録を行う記録再生装置であって、前記通し番号情報若しくは前記予約録画設定情報若しくは前記媒体識別情報又はこれらのうち複数を、DVD  Video  RecordingフォーマットのManufacturer’s  Information  Table領域内に格納したことを特徴とする。
【００２０】
上記構成によれば、DVD  Video  Recording（ＤＶＤ−ＶＲ）フォーマットにおいて、基本的にメーカが任意に使用することができる領域であるManufacturer’s  Information  Table領域内に、通し番号情報若しくは予約録画設定情報若しくは媒体識別情報が格納される。
【００２１】
請求項８の予約録画処理プログラムは、記録媒体へのコンテンツの録画動作を、録画開始日時及び録画終了日時の設定と、録画する映像信号の入力ソースの選択とを予め設定・記憶することにより予約録画動作によって行うことが可能な記録再生装置に備えられるマイコンに、第１の記録媒体に対するコンテンツの予約録画の設定があった場合に当該予約録画設定情報とコンテンツに対する通し番号情報とを前記第１の記録媒体に記録するステップと、前記第１の記録媒体に対する次回以降の予約録画設定処理時に前記第１の記録媒体に記録されている予約録画設定情報を使用し、当該予約録画に必要な容量が前記第１の記録媒体の空き容量より小さい場合には、前記予約録画設定情報を利用して予約録画設定処理を行うステップと、前記予約録画に必要な容量が前記第１の記録媒体の空き容量より大きい場合には、第２の記録媒体の媒体識別情報を前記第１の記録媒体に記録した上で前記第１の記録媒体の交換をユーザに求め、前記第１の記録媒体から前記第２の記録媒体への交換があった場合に、前記予約録画設定情報と前記第１の記録媒体の媒体識別情報と前記通し番号情報とを、交換された前記第２の記録媒体に記録して、前記予約録画設定情報を利用して予約録画設定処理を行うステップと、当該予約録画の録画処理において前記通し番号情報をタイトル情報の一部として使用して、前記通し番号情報を更新するステップと、を実行させることを特徴とする。
【発明の効果】
【００２２】
本発明の請求項１の、定期的に放送若しくは送信される一連のコンテンツが集合することによって全体として一定の纏まりを持つコンテンツの記録媒体への録画を行う記録再生装置であって、前記一連のコンテンツのそれぞれを録画する際に、当該各コンテンツに通し番号情報を付与して前記記録媒体に記録することを特徴とする記録再生装置によれば、関連を有する一連のコンテンツ（例えば同一番組）の中で各コンテンツが何番目に録画されたものであるかを表示させること等が可能となるため、再生時などに各コンテンツが一連のコンテンツの中で何番目のものであるか（例えば○×ドラマの７番目のものである等）をユーザに認知させることができ、ユーザの利便性に優れる。
【００２３】
本発明の請求項２の、前記一連のコンテンツが集合することによって全体として一定の纏まりを持つコンテンツを録画するための総容量が、前記記録媒体単体の総容量を超える場合であって、前記コンテンツを複数の前記記録媒体に分割して保存する場合に、前記通し番号情報を、前記複数の記録媒体に記録される各コンテンツに対して継続して付与し、前記各複数の記録媒体に記録することを特徴とする請求項１記載の記録再生装置によれば、複数の記録媒体にわたって録画された各コンテンツが、全体としては（同一番組内の）何番目のものであるかを判別することができる（すなわち、例えば１０枚のＤＶＤに同一番組が記録されている場合であっても、３枚目のＤＶＤ内のあるコンテンツが、全体の何番目のものであるかを表示等させることができる）ため、よりユーザの利便性に優れる。
【００２４】
本発明の請求項３の、記録媒体へのコンテンツの録画動作を、録画開始日時及び録画終了日時の設定と、録画する映像信号の入力ソースの選択とを予め設定・記憶することにより予約録画動作によって行うことが可能な記録再生装置であって、前記コンテンツが、定期的に放送若しくは送信される一連のコンテンツが集合することによって全体として一定の纏まりを持つコンテンツである場合に、前記録画開始日時及び録画終了日時や前記映像信号の入力ソースなどの予約録画設定情報を前記記録媒体へと記録することにより次の予約録画設定時に当該記録された予約録画設定情報を利用し、且つ、前記一連のコンテンツが集合することによって全体として一定の纏まりを持つコンテンツを録画するための総容量が、前記記録媒体単体の総容量を超える場合であって、前記コンテンツを複数の前記記録媒体に分割して保存する場合の前記記録媒体の交換時に、前記予約録画設定情報を次の記録媒体へと引き継いで当該次の記録媒体に記録することを特徴とする記録再生装置によれば、複数の記録媒体にわたって各コンテンツの録画が行われる場合であっても、記録媒体の交換時に予約録画設定情報が新しい記録媒体に引き継がれて記録されるため、最初の記録媒体に対して予約録画設定作業を行えば、その後の第２、第３の記録媒体に対する予約録画設定処理時にも最初の予約録画設定情報を利用することができるため、予約録画設定作業の簡略化を図ることができる。
【００２５】
本発明の請求項６の、前記複数の記録媒体のそれぞれに、録画の順番が自己の前後となる記録媒体の、媒体を識別するための媒体識別情報を記録することを特徴とする請求項２乃至請求項４の何れか１つに記載の記録再生装置によれば、関連を有する一連のコンテンツが、複数の記録媒体にわたって録画される場合に、各記録媒体に、録画の順番が自己の前後となる記録媒体の媒体識別情報が記録されるため、各記録媒体を相互に関連付けることができる。従って、例えばいわゆるチェンジャー機構を備える装置において、複数の記録媒体（関連を有する一連のコンテンツが記録されている複数の記録媒体）が格納されているような場合に、各媒体をまたいでのサーチ動作時等に容易且つ素早い処理を行うことが可能となる（各記録媒体に録画の順番が自己の前後となる記録媒体の媒体識別情報が記録されていることにより、再生順序が“前の媒体”や“次の媒体”となる媒体を直ぐに判別できるため）。
【発明を実施するための最良の形態】
【００２６】
以下、本発明の具体的実施例について、図面を参照しながら説明する。なお、以下の実施態様は、本発明を具体化する際の一形態であって、本発明をその範囲内に限定するためのものではない。
【００２７】
図１は本実施例のＤＶＤ記録再生装置内蔵ＬＣＤの本発明に係る部分のみの概略を示すブロック図であり、図２は同ＤＶＤ記録再生装置内蔵ＬＣＤの斜視図、図３・図４及び図５は本発明に関する部分の動作の概略を示すフローチャートである。
【００２８】
図１に示されるように、本実施例のＤＶＤ記録再生装置内蔵ＬＣＤ（以下単にＤＶＤ内蔵ＬＣＤ）１は、記録媒体であるＤＶＤ２３への信号の書込み又はＤＶＤ２３からの信号の読込みをおこなうディスクドライブ１１、表示部１２、チューナ部１３ａ又は外部入出力部１３ｂからの信号を切替えて出力する入力切替部１３、操作部１４ａ又は受光部１４ｂからの信号を判別して出力するキー判別部１４、装置全体の制御を行う制御部１５等を有する。さらに、ＤＶＤ内蔵ＬＣＤ１は、入力切替部１３から入力された映像音声信号をＭＰＥＧ規格に基づいた信号に変換するエンコーダやＤＶＤ−ＶＲフォーマットの規格に準拠した記録データを生成する機能などを備える記録制御部１６、ディスクドライブ１１から入力されたデータを伸張するデコーダ等を備える再生制御部１７、入力切替部１３若しくは再生制御部１７等から入力された映像信号を表示部１２へ表示させる処理を行う表示処理部１８、記憶部１９、時計機能を有するタイマ部２０、予約録画動作の処理を行う予約動作処理部２１などを備える。
【００２９】
次に図３及び図４を参照しつつ、本実施例のＤＶＤ内蔵ＬＣＤ１の予約録画設定処理の動作の概略を説明する。ステップ３０１では、予約録画設定の指示（ユーザによるリモコン装置２若しくは操作部１４ａの操作による予約録画設定の開始）を待ち、指示があった場合にはステップ３０２へと移行する。なお、ユーザからの各種指示や各情報の取得動作は、表示画面（表示部１２やリモコン装置２に備えられる表示部）に従う等してユーザがリモコン装置２や操作部１４ａを操作することで、キー判別部１４・制御部１５によって判別・取得される。以下の動作説明中の各種指示や各情報の取得動作においても同様である。
【００３０】
ステップ３０２では、ＤＶＤ２３に、後に説明する予約録画設定情報が記録されているか否かを判別し、これがあった場合にはステップ３０３へと移行し、無い場合はステップ３１５へと移行する。なお、当該判別動作は、ＤＶＤ２３からディスクドライブ１１と再生制御部１７とによって得られた信号を、予約動作処理部２１と制御部１５とによって解読・判断することによって行われる（以下の動作においてＤＶＤ２３から情報を取得して判断する場合も同様の概念である）。ステップ３０３では、図６（ａ）に示されるような画面を表示して、ＤＶＤ２３に記録されている予約録画設定情報を利用して予約録画設定を行うか否かの判断をユーザに求め、これを利用しない場合にはステップ３１５へと移行する。
【００３１】
ステップ３１５では、図６（ｂ）に示されるような画面を表示しつつ予約録画設定情報を取得する。図に示されるように本実施例における「予約録画設定情報」は、録画日（特定の日や“毎日”、“毎週火曜日”など）・録画開始時間・録画終了時間・入力ソース（チャンネル等）・画質モード（高画質モードや低画質モードなど）・タイトル名（番組名）などが含まれる。続くステップ３１６ではＤＶＤ２３からディスク空き容量の情報を取得して「録画可能時間量（ＤＶＤ２３に対して録画できる時間）」を算出し、変数Ｔ１に代入して記憶部１９に保存する。「録画可能時間量」の算出は、例えば、空き容量を平均ビットレートで除算すること等によって算出する。当該Ｔ１とステップ３１５で取得した「予約録画設定情報」から算出される「予約録画時間」とを比較し（ステップ３１７）、予約録画時間の方が大きい場合には、図６（ｃ）に示されるような画面を表示して、ＤＶＤ２３の交換を促し、ディスクの交換があった場合には、ステップ３１６へと戻って処理を繰り返す（ステップ３１８）。一方、ステップ３１７における比較の結果、予約録画時間の方が小さかった場合には、ステップ３１９において図６（ｄ）に示されるような画面を表示して、ユーザに「予約録画設定情報」をＤＶＤ２３に記録するか否かの選択を求める。ユーザの選択が、ＤＶＤ２３への記録であった場合には、ステップ３２０において、「予約録画設定情報」をＤＶＤ２３に記録すると共に、「通し番号情報」と「ディスクＩＤ」とを生成してＤＶＤ２３に記録し（ステップ３２１）、ステップ３１１の録画予約処理（ステップ３１５で取得した予約録画設定情報を用いての録画予約動作）へと移行する。一方、ステップ３１９の判断が否定であった場合には、即座にステップステップ３１１の録画予約処理へと移行して予約設定の処理を終了する。なお、「通し番号情報」とは一連の各コンテンツ（例えば、毎週放送のある同一番組の各回）に付与する番号であり、「ディスクＩＤ」とは媒体を識別するための媒体識別情報である。本実施例ではそれぞれ“0001”等の番号情報とする。
【００３２】
ステップ３０３における判断が肯定であった（ＤＶＤ２３に記録されている予約録画設定情報を利用して予約録画設定を行う）場合には、ステップ３０４及びステップ３０５の処理（前述したステップ３１６及びステップ３１７と同様の処理）へと移行する。ステップ３０５における判断が肯定であった（ＤＶＤ２３の録画可能時間量より予約録画時間量の方が小さい）場合には、ステップ３１３へと移行してＤＶＤ２３から「予約録画設定情報」を取得して、当該情報を利用して録画予約処理（ステップ３１１）を行って予約設定の処理を終了する。ＤＶＤ２３から取得した「予約録画設定情報」の利用において、録画開始時間・録画終了時間・入力ソース（チャンネル等）・画質モード（高画質モードや低画質モードなど）・タイトル名（番組名）はそのまま使用できるが、録画日が“３１日”といった特定の日を示す情報であった場合には、これをそのまま利用できない場合もあるため、録画日情報を適宜加工して使用する若しくは随時ユーザに入力や選択を求めるような処理となる（録画日が“毎日”や“毎週火曜日”というような情報である場合にはそのまま使用することができる）。また、画質モードなどの「予約録画設定情報」の各項目や、「通し番号情報」を随時変更できるようにユーザに入力や選択を求めるような処理としてもよい。
【００３３】
ステップ３０５における判断が否定であった（ＤＶＤ２３の録画可能時間量より予約録画時間量の方が大きい）場合には、図６（ｅ）に示されるような画面を表示して、ユーザに予約録画設定情報を別のディスクに引き継ぐか否かの選択を求め（ステップ３０６）、肯定であった場合には、次のディスクのディスクＩＤを生成（例えば現在のディスクのディスクＩＤが“0002”であるなら“0003”を生成）して、現在のディスク（ＤＶＤ２３）に「次のディスクは“0003”」である旨を記録する（ステップ３０７）。続くステップ３０８では、現在のディスクのディスクＩＤ（上記例では“0002”）と、予約録画設定情報と、通し番号情報と、をＤＶＤ２３から取得して、記憶部１９に保存する。続くステップ３０９において「新しいディスクを入れて下さい」旨の画面表示を行うなどして、ディスクの入れ換えを待ち、新しいディスクの挿入があった場合には、当該ディスクに、「現在のディスクのディスクＩＤ（上記例では“0002”）」を「前のディスクは“0002”」として記録し、且つ、「次のディスクのディスクＩＤ（上記例では“0003”）」を当該ディスクのディスクＩＤとして記録し、且つ、「予約録画設定情報」と「通し番号情報」とを記録する（ステップ３１０）。続くステップ３１１において当該予約録画設定情報を利用して録画予約処理を行って予約設定の処理を終了する。なお、ステップ３０６における判断が否定であった（別のディスクへの予約の引継ぎを行わない）場合には、「ディスク残量が不足しているため予約設定を行えません」旨を画面表示させて（ステップ３１２）、ステップ３０１へと戻り処理を繰り返す。
【００３４】
以上のような処理により、記録媒体（ＤＶＤ）に予約録画設定情報の記録と、通し番号情報の記録が行われると共に、予約録画設定情報の記録がなされた記録媒体が装置に挿入されている場合には、当該記録媒体に記録された予約録画設定情報を利用して予約録画処理を行うことができる。また、記憶容量の不足により記録媒体の交換の必要がある場合において、交換後の記録媒体に予約録画設定情報と通し番号情報とが引き継がれて記録され、且つ、録画の順番が前後となる記録媒体にそれぞれ“前の媒体”若しくは“次の媒体”を示す媒体識別情報が記録されることとなる。
【００３５】
なお、予約録画設定情報若しくは通し番号情報若しくは媒体識別情報のＤＶＤ２３への記録場所として具体例を挙げると、例えば、DVD  Video  RecordingフォーマットにおけるManufacturer’s  Information  Table領域内のManufacturer’s  Information内のManufacturer’s  Information  Data領域内（基本的にメーカが任意に使用することができる領域）が挙げられる。また、DVD−Video  フォーマットでは、ファイナライズ前の中間フォーマットにおいて予約録画設定情報若しくは通し番号情報若しくは媒体識別情報を記録・保持する。中間フォーマットはメーカ独自の方法で必要な管理情報を記録しており（ファイナライズ後のファイル構成がDVD−Video  フォーマットの規格に従っていれば良く、中間フォーマットは各メーカ独自の構成となっている）、当該管理情報を記録する領域の中に上記各情報（予約録画設定情報・通し番号情報・媒体識別情報など）を格納することができる。当該領域の具体例として、管理情報を記録する領域の中にメーカ情報を記録するManufacturer’s  Information領域を作成し、当該領域中に作成するManufacturer’s  Information  Data領域内が挙げられる。図８にDVD  Video  Recordingフォーマットのファイル構造の一部（Manufacturer’s  Information  Data領域がある部分）を示すと共に、図９にDVD−Video  フォーマットにおける中間フォーマットのファイル構造の一部（Manufacturer’s  Information  Data領域がある部分）を示した。
【００３６】
次に、図５を参照しつつ、本実施例のＤＶＤ内蔵ＬＣＤ１の予約録画処理の動作のうち、主に本発明に関する部分のみの概略を説明する。予約録画の設定がなされると、ステップ５１にて録画開始時間の到来を待ち（タイマ部２０によって得られる現在時間と録画予約開示時間を、制御部１５と予約動作処理部２１により比較・判断する。）、録画開始時間が到来すると、ＤＶＤ２３から「予約録画設定情報」であるタイトル名と、「通し番号情報」とを取得して、これから録画を行うコンテンツのタイトル情報を作成してＤＶＤ２３に記録する（ステップ５２）。続くステップ５３では「通し番号情報」を更新して（例えば“0007”であった場合には“0008”として）、ディスク（ＤＶＤ２３）に記録し、録画処理を行う（ステップ５４）。ステップ５５では録画終了時間の到来を待ち、終了時刻であると判断された場合には録画終了処理を行って（ステップ５６）処理を終了する。なお、実際には、ステップ５２〜ステップ５３の処理を行う時間などが必要なため、ステップ５１の「録画開始時間」とは、設定された予約録画開始時間より少し早い時間であり、ステップ５４の録画処理の開始時刻が「設定された予約録画開始時間」となる。
【００３７】
上記のような処理により、各コンテンツに通し番号情報が付与されて記録媒体（ＤＶＤ２３）に記録される。すなわち、例えば、「予約録画設定情報」においてタイトル名が“○×ドラマ”とされており、「通し番号情報」が“0007”であるような場合には、タイトル名に通し番号情報を付加して“○×ドラマ  ７”というようなタイトル名を生成してＤＶＤ２３に、タイトル情報として記録する（タイトル名と通し番号とを個別の情報としてタイトル情報に記録するなどしてもよい）等の処理を行うことができる（なお、ディスクに記録されたタイトル名等の情報は、後に編集作業などにおいて適宜変更することができる。）。タイトル名や通し番号情報を各コンテンツの“タイトル情報”として記録する領域の具体例としては、DVD  Video  RecordingフォーマットにおけるOriginal  PGC  Information領域内のPG  Information内のPrimary  Text  Information領域内が挙げられる。図１０にはDVD  Video  Recordingフォーマットのファイル構造の一部（Primary  Text  Information領域がある部分）を示した。
【００３８】
以上のごとく、本実施例のＤＶＤ内蔵ＬＣＤ１によれば、複数の記録媒体にわたって各コンテンツの録画が行われる場合であっても、記録媒体の交換時に予約録画設定情報が新しい記録媒体に引き継がれて記録されるため、最初の記録媒体に対して予約録画設定作業を行えば、その後の第２、第３の記録媒体に対する予約録画設定処理時にも最初の予約録画設定情報を利用することができ、予約録画設定作業の簡略化を図ることができる。本実施例では、予約録画設定操作時に、記録媒体に予約録画設定情報が記録されている場合には、ユーザに当該情報を利用するか否かの選択を求めるようにしているが（図３ステップ３０１〜３０３）、例えば、予約録画設定情報が記録されている記録媒体が装置に挿入された段階で、自動的に予約録画状態になるような処理としてもよく、このようにすることで、より操作の簡略化を図ることができる。
【００３９】
又、複数の記録媒体にわたって各コンテンツの録画が行われる場合であっても、各コンテンツに通し番号情報が付与されて記録されるため、各コンテンツが、全体としては（同一番組内の）何番目のものであるかを判別することができる（すなわち、例えば１０枚のＤＶＤに同一番組が記録されている場合であっても、３枚目のＤＶＤ内のあるコンテンツが、全体の何番目のものであるかを表示等させることができる）ため、よりユーザの利便性に優れる。加えて、各記録媒体に、録画の順番が自己の前後となる記録媒体の媒体識別情報（ディスクＩＤ）が記録されるため、各記録媒体を相互に関連付けることができる。従って、例えば、いわゆるチェンジャー機構を備える装置において、複数の記録媒体（関連を有する一連のコンテンツが記録されている複数の記録媒体）が格納されているような場合に、各媒体をまたいでのサーチ動作時等に容易且つ素早い処理を行うことが可能となる。図７にはチェンジャー機構を備える装置におけるサーチ動作の処理を説明するための説明図を示した。図に示されるように、例えば“ディスク0001”を視聴しておりタイトル４の再生が終了した段階で、“続くタイトル”をサーチする場合、“ディスク0001”には、“ディスク0002”のディスクＩＤが「次のディスク」として記録されているため、次のディスクが“ディスク0002”であると認識できる（同様に、「前のディスク」がどれであるかも認識することができる）。すなわち、チェンジャー装置にどのような順番でディスクが入っていても正しい順序で再生（サーチ）動作を行うことができるのである。
【００４０】
なお、本実施例では、「通し番号情報」の記録領域（の具体例）として、DVD  Video  RecordingフォーマットにおけるPrimary  Text  Information領域（“タイトル情報”としての「通し番号情報」記録するためのもの）の他に、現在の「通し番号」を保持するための、Manufacturer’s  Information  Data領域を挙げているが、必ずしも、現在の「通し番号」を保持するために、「通し番号情報」を、“タイトル情報”としての記録とは別に記録しておく必要は無く、“タイトル情報”として「通し番号情報」が記録されていれば、これを取得して（図５のステップ５２において“タイトル情報”を参照して「通し番号情報」を取得する）利用するようにしてもよい。また、記録媒体に記録する「予約録画設定情報」は１つに限らず、複数の番組の「予約録画設定情報」を記録媒体に記録するようにしてもよく、この場合、各番組ごとに「通し番号情報」を付与するようにすると好適である。加えて、本実施例では、「ディスクＩＤ」を装置が生成して付与するようにしているが、ディスク媒体の製造時にディスクに記録されている「媒体識別情報」を利用するようにしてもよい。
【００４１】
実施例中では、「記録再生装置」の具体例としてＤＶＤ内蔵ＬＣＤを用いたが、本発明をこれに限るものではなく、記録媒体としては、ＤＶＤ以外の光ディスク媒体や、ＨＤＤに代表される磁気ディスク媒体、フラッシュメモリなどの半導体素子により構成される記録媒体などをも含むものであり、本発明に係る「記録再生装置」は、前記した記録媒体に対する記録再生装置をいう。また、実施例（ＤＶＤ内蔵ＬＣＤ１）からも明らかなように、本発明における「記録再生装置」とは、記録媒体に対する映像の録画／再生のみを行う装置に限らず、他の機能と一体化されているような複合型の装置をも含む概念である。
【図面の簡単な説明】
【００４２】
【図１】ＤＶＤ記録再生装置内蔵ＬＣＤの本発明に係る部分のみの概略を示すブロック図
【図２】ＤＶＤ記録再生装置内蔵ＬＣＤの斜視図
【図３】ＤＶＤ記録再生装置内蔵ＬＣＤの予約録画設定処理の動作の概略を示すフローチャート
【図４】ＤＶＤ記録再生装置内蔵ＬＣＤの予約録画設定処理の動作の概略を示すフローチャート
【図５】ＤＶＤ記録再生装置内蔵ＬＣＤの予約録画処理の動作の概略を示すフローチャート
【図６】ＤＶＤ記録再生装置内蔵ＬＣＤの表示画面の一例を示す図
【図７】チェンジャー機構を備える記録再生装置におけるサーチ動作の概略を説明するための説明図
【図８】DVD  Video  Recordingフォーマットのファイル構造の一部を示す図
【図９】DVD−Videoフォーマットにおける中間フォーマットのファイル構造の一部を示す図
【図１０】DVD  Video  Recordingフォーマットのファイル構造の一部を示す図
【符号の説明】
【００４３】
１      ＤＶＤ記録再生装置内蔵ＬＣＤ（記録再生装置）
１１    ディスクドライブ
１５    制御部
１６    記録制御部
１７    再生制御部
１９    記憶部
２０    タイマ部
２１    予約動作処理部
２３    ＤＶＤ（記録媒体）
【図１】
2006186613.tif 000003
【図２】
2006186613.tif 000004
【図３】
2006186613.tif 000005
【図４】
2006186613.tif 000006
【図５】
2006186613.tif 000007
【図６】
2006186613.tif 000008
【図７】
2006186613.tif 000009
【図８】
2006186613.tif 000010
【図９】
2006186613.tif 000011
【図１０】
2006186613.tif 000012